(57)【特許請求の範囲】
【請求項１】
被収容物が収容される収容室（１）を形成すべく可撓性シートから袋状に形成された容器本体（２）と、該容器本体（２）の収容室（１）から被収容物を注出する注出具（３）とからなり、注出具（３）は、容器本体（２）の重ね合わせられた一対のシート片（４，４）に前後に挟み込まれ且つ、該両シート片（４，４）の内面に密封状に取り付けられた取付部（９）を備え、該取付部（９）には被収容物の流通孔（１１）が設けられてなる注出具付き容器において、前記取付部（９）の前後幅が収容室（１）側に向けて次第に広がった末広がり形状を呈しており、該取付部（９）の前後壁面（１２，１２）の下方側は、シート片（４，４）に対して非接着部（１４）となっていることを特徴とする注出具付き容器。
【請求項２】
被収容物が収容される収容室（１）を形成すべく可撓性シートから袋状に形成された容器本体（２）と、該容器本体（２）の収容室（１）から被収容物を注出する注出具（３）とからなり、注出具（３）は、容器本体（２）の重ね合わせられた一対のシート片（４，４）に前後に挟み込まれ且つ、該両シート片（４，４）の内面に密封状に取り付けられた取付部（９）を備え、該取付部（９）には被収容物の流通孔（１１）が設けられてなる注出具付き容器において、前記注出具（３）には、取付部（９）から収容室（１）側に向けて鍔部（１５）が延設され、且つ、両シート片（４，４）を押し広げるよう、鍔部（１５）の前後幅が収容室（１）側に向けて次第に広がった末広がり形状を呈しており、しかも、鍔部（１５）は、シート片（４，４）に対して非接着状態にあることを特徴とする注出具付き容器。
【発明の詳細な説明】
【０００１】
【発明の属する技術分野】
本発明は、例えばスポーツ飲料や果汁飲料、流動性食品等、液状、ゾル状、又はゲル若しくは固形物を含む液状の内容物を充填し、飲料用、医療用等で使用するための容器に使用される注出具及び注出具付き容器に関する。
【０００２】
【従来の技術】
従来、例えば、スポーツ飲料や果汁飲料等の各種の液体（被収容物）が充填され、必要に応じて取り出せるようにした容器が公知である。かかる容器は、例えば、図６に示す如く、被収容物を収容する収容室５２を形成すべく可撓性シートから袋状に形成された容器本体５１と、該容器本体５１の収容室５２に充填された流動性の被収容物を取り出すための注出具５３とを備えたものである。
【０００３】
前記容器本体５１は、重ね合わされた前後一対のシート片５４，５４と、内側へ折り込まれた左右一対のガゼット状のシート片５５，５５とからなり、これら４つのシート片５４，５４，５５，５５が所定箇所接着されて袋状に形成されてなる。
【０００４】
また、前記注出具５３は、前後のシート片５４の上縁部５６を熱融着により封着（シール）する際に、両シート片５４，５４に前後に挟み込まれて、封着と同時にシート片５４の内面に密封状に取り付けられる前後幅が略一定の取付部５７と、該取付部５７から上方に突設された口部５８とを備えてなり、口部５８には、その開口を閉塞するキャップ５９が着脱自在に螺合されている。
【０００５】
そして、収容室５２に収容された被収容物は、取付部５７の下端面から口部５８の上端面まで形成された流通孔６０を通って注出される。
【０００６】
【発明が解決しようとする課題】
しかるに、上記従来の容器にあっては、図６（ロ）に二点破線Ａにて示す如く、口部５８を吸引して被収容物を注出すると、取付部５７の下方側近傍における前後のシート片５４，５４が密着し、流通孔６０からの注出が妨げられることがあった。
【０００７】
そこで、本発明は上記従来の問題点に鑑みてなされたもので、その課題とするところは、被収容物をスムーズに注出できる注出具付き容器及び注出具を提供することにある。
【０００８】
【課題を解決するための手段】
本発明は、上記課題を解決すべくなされたものであり、本発明に係る注出具付き容器は、被収容物が収容される収容室１を形成すべく可撓性シートから袋状に形成された容器本体２と、該容器本体２の収容室１から被収容物を注出する注出具３とからなり、注出具３は、容器本体２の重ね合わせられた一対のシート片４，４に前後に挟み込まれ且つ、該両シート片４，４の内面に密封状に取り付けられた取付部９を備え、該取付部９には被収容物の流通孔１１が設けられてなる注出具付き容器において、前記取付部９の前後幅が収容室１側に向けて次第に広がった末広がり形状を呈しており、該取付部９の前後壁面１２，１２の下方側は、シート片４，４に対して非接着部１４となっていることを特徴とする。
【０００９】
該容器にあっては、前後幅が収容室１側に向けて広がっている取付部９によってシート片４，４が前後方向に押し広げられ、両シート片４，４の離間距離は、取付部９から収容室１側に向けて広がっていくことになる。そして、被収容物を収容した状態から被収容物を注出するにつれて両シート片４，４が接近するが、取付部９近傍の両シート片４，４が取付部９の広がり形状によって前後に押し広げられているので、取付部９の流通孔１１に至るまでの被収容物の注出通路が両シート片４，４間に確保され、該注出通路から流通孔１１を介して被収容物が注出される。
【００１０】
また、被収容物が収容される収容室１を形成すべく可撓性シートから袋状に形成された容器本体２と、該容器本体２の収容室１から被収容物を注出する注出具３とからなり、注出具３は、容器本体２の重ね合わせられた一対のシート片４，４に前後に挟み込まれ且つ、該両シート片４，４の内面に密封状に取り付けられた取付部９を備え、該取付部９には被収容物の流通孔１１が設けられてなる注出具付き容器において、前記注出具３には、取付部９から収容室１側に向けて鍔部１５が延設され、且つ、両シート片４，４を押し広げるよう、鍔部１５の前後幅が収容室１側に向けて次第に広がった末広がり形状を呈しており、しかも、鍔部１５は、シート片４，４に対して非接着状態にある構成を採用することもできる。
【００１１】
該容器にあっては、前後幅が収容室１側に向けて広がっている鍔部１５を取付部９から収容室１側に向けて延設してなるので、鍔部が１５前後のシート片４，４を内面側から押し広げ、被収容物の注出通路を確保する。
【００１４】
【発明の実施の形態】
以下、本発明の一実施形態における注出具付き容器について、図面を参酌しつつ、被収容物を収容する収容室１を形成すべく、可撓性シートから袋状に形成された容器本体２と、該容器本体２の収容室１から被収容物を注出する注出具３とからなる注出具付き容器について、以下、二つの実施形態を主に説明する。
【００１５】
まず、第一の実施形態として図１乃至図４に示す如き容器について説明すると、容器本体２は、前後一対のシート片４，４からなり、両シート片４，４は、図１の如く、上方側両隅が斜めにカットされた正面視略方形状に形成されてなる。そして、両シート片４，４が前後に重ね合わせられ、その下端部５、両縦縁部６，６、及び縦縁部６の上方に位置する両傾斜縁部７，７の内面同士が各々接着されてなる。そして、両シート片４，４の上縁部８間には、前記注出具３の後述する取付部９が挟み込まれて両シート片４，４の内面に各々密封状に接着され、前記両縦縁部７，７には取付部９の両側縁部１３，１３が挟み込まれて接着されてなり、シート片４の非接着部から収容室１が形成されている。
【００１６】
尚、可撓性シートの材質、構成は特に限定されないが、例えば内面が熱融着性を有する（例えばポリエチレンやポリプロピレン等）積層シートとすることにより、上記接着をヒートシールにより行うことができる。
【００１７】
一方、この容器に使用されている注出具３は、図４の如く、容器本体２の両シート片４，４に前後に挟み込まれ、その傾斜縁部７，７と上縁部８の内面に密封状に取り付けられる取付部９と、該取付部９の上端面９ａから上方に突設された円筒状の口部１０とからなる。かかる取付部９と口部１０とは合成樹脂から成型により一体的に形成され、また、取付部９の下端面９ｂから口部１０の上端面１０ａまで被収容物の流通孔１１が形成されてなる。
【００１８】
前記口部１０には、流通孔１１の口部側開口１１ａを閉塞するキャップが螺合されるネジ部１０ｂが外周に形成されてなる。また、前記取付部９は、容器本体２の前後両シート片４，４の内面に各々接着される前後壁面１２，１２を有し、該前後壁面１２，１２は、前記シート片４の傾斜縁部７に対応して下方側が広い正面視略台形となっている。そして、前後壁面１２，１２間の距離が左右両側に向けて次第に狭くなるよう、即ち、左右両側に向けて先細りとなるよう平面視流線形（舟形状）に形成されてなる。更に、この取付部９は、前後壁面１２，１２が図３のように断面視ハの字状になるよう、その前後幅が下方に向けて次第に広がった末広がり形状を呈してなる。
【００１９】
尚、該注出具３の材質については、可撓性シートの内面と熱融着可能なポリエチレンやポリプロピレン等の合成樹脂が好ましく、これにより、両シート片４，４のヒートシールの際に同時にシート片４の内面にヒートシールにより接着して取り付けることが可能となる。
【００２０】
かかる構成からなる注出具３は、下縁部５と両側縁部６，６の三方が接着された容器本体２の上方開口から挿入され、図１及び図３の如く、傾斜縁部７に側縁部１３が接着され且つ、上縁部８に取付部９の前後壁面１２，１２の上方側が接着されて固定されてなり、前後壁面１２，１２の下方側はシート片４に接着されていない非接着部１４となっている。
【００２１】
以上の構成からなる注出具付き容器は、注出具３の取付部９の前後幅（シート片４の厚み方向の幅）が収容室１側に向けて広がった末広がり形状となっているので、該取付部９の前後壁面１２，１２によって両シート片４，４は、下方側（収容室１中央側）ほど内面側から前後に押し広げられ、且つ、取付部９下方においても取付部９の末広がり形状に合わせて両シート片４，４の前後の離間距離が下方に向けて徐々に広がった状態となる。従って、前後壁面１２，１２の下方におけるシート片４が緊張状態となるので、この部分におけるシワの発生が防止され、良好な外観体裁が得られる。また、取付部の前後幅が略一定の従来の注出具に比して収容室１の容量も増加でき、その分、流通孔１１の口部側開口１１ａから収容室１内に多くの被収容物を注入できる。そして、被収容物が充填され、キャップが口部１０に取り付けられて密封状態となる。
【００２２】
ところで、この種可撓性シートからなる容器本体の場合、図６のような従来のものでは、充填状態の容器本体５１を部分的に押圧すると、被収容物が注出具５３側に偏り、図６（ロ）に二点破線Ｂにて示すように、前後のシート片５４，５４が取付部５７下方において前後に大きく膨出する。その結果、前後のシート片５４，５４は取付部５７の下端部を基点として大きく凹状に屈曲し、屈曲した凹状屈曲部６１に応力集中が生じて破損するおそれがある。特に、可撓性シートとしてアルミ箔を有する積層シートを用いた場合に破損の可能性が高くなる。
【００２３】
しかるに、上記構成からなる本実施形態の注出具付き容器の場合、取付部９下方における両シート片４，４が、末広がり形状の取付部９によって内面側から押圧されて緊張状態にあるので、上述したような屈曲が生じにくくなる。従って、応力集中によるシート片４の破損を防止することができ、従来の前後幅略一定の取付部に比して容器の耐久性を高めることができる。
【００２４】
また、被収容物の注出に際して口部１０を吸引すると、容器本体２の可撓性により両シート片４，４が接近してくる。この場合においても取付部９下方における両シート片４，４が取付部９によって前後に押し広げられているので、取付部９の前後幅略一定のものに比して両シート片４，４の密着が緩和され、取付部９の下端面９ｂに開口する流通孔１１近傍において両シート片４，４の離間状態が維持される。従って、流通孔１１に至るまでの被収容物の注出通路が、両シート片４，４間、特に流通孔１１の収容室側開口１１ｂの近傍に確保され、該注出通路から流通孔１１を介して被収容物をスムーズに吸引することができ、良好な吸い上げ性が得られるのである。尚、口部１０が下向きとなるように容器を傾斜あるいは上下反転させることで注出具３を注ぎ口として使用することもできるが、この場合でも、取付部９の末広がり形状によって流通孔１１の収容室側開口１１ｂ近傍に被収容物が集まりやすく、スムーズに注ぎ出すことができる。
【００２５】
尚、取付部９は、その一部において前後幅が下方に向けて広がる部分を有していればよく、取付部９の前後壁面１２，１２の全体が両シート片４，４の内面に取り付けられていてもよい。
【００２６】
次に、第二の実施形態における注出具付き容器は図５の如き形態のものであるが、上記第一の実施形態と同様の構成についてはその説明を省略する。
当該実施形態における容器本体２も前後一対のシート片４，４からなるが、両シート片４，４の上方両隅の斜めカットがなく長方形状を呈し、また、注出具３については、その取付部９の左右幅が容器本体２の左右幅よりも小さい点が上述のものと異なる。そして、注出具３の取付部９は、容器本体２の両シート片４，４の上縁部８の一部（略中央）に取り付けられてなる。
【００２７】
また、注出具３の形態も第一の実施形態のものとは異なっている。即ち、取付部９と口部１０とを備えてなる点は共通するが、取付部９の前後幅が略一定となっている。そして、取付部９の下方には、へら状の鍔部１５が前後一対延設されてなり、両鍔部１５，１５は、図５（ロ）の如く、両シート片４，４を前後に押し広げるように、その前後幅が下方側（収容室１側）に向けて次第に広がった断面視ハの字状に形成され、鍔部１５，１５の外面は取付部９の前後壁面１２，１２から連続している。
【００２８】
また、へら状の鍔部１５は薄肉状で前後方向に弾性変形可能に形成されてなり、両シート片４，４の内面は取付部９の前後壁面１２，１２にのみに取り付けられ、鍔部１５とは非接着状態にある。従って、例えば、ヒートシールにより取付部９を接着する場合でも、鍔部１５が互いに接近する方向に弾性変形するので、鍔部１５の末広がり形状が邪魔になるおそれがない。
【００２９】
かかる構成の容器では、取付部９の前後幅が略一定であるものの、その下方には、流通孔１１の収容室側開口１１ｂよりも下方に伸びた末広がり形状の鍔部１５が設けられてなるので、取付部９の下方において両シート片４，４が前後の鍔部１５，１５で内面側から押し広げられるので、上述と同様に、この部分におけるシワの発生が防止され、収容室１の容量も増大できる。しかも、吸引等の際においては、両鍔部１５，１５が両シート片４，４を内面側から支えているので、流通孔１１の収容室側開口１１ｂ近傍における両シート片４，４の密着を確実に防止でき、両鍔部１５，１５間に注出通路が確保されてスムーズに吸引、注ぎ出しできるのである。
【００３０】
尚、鍔部１５の位置は取付部９の正面視略中央に限定されるものではないが、取付部９の前後幅が最大の箇所近傍に設けることが好ましい。
【００３１】
また、鍔部１５の形状も特に限定されず、例えば、取付部９の下方全周に亘って鍔部１５を周設することも可能である。更に、取付部９を上記第一の実施形態の如く末広がり形状とすることも可能である。その他、取付部９から収容室１内に伸びたストローを設けたり、また、図５の如く、シート片４の上縁に当接するフランジ部１６を取付部９に設けたり、注出具搬送時の吊下用として口部１０にフランジ部１７を設けること等、種々の形態を採用できる。
【００３２】
更に、容器本体２自体の形態も特に限定されず、上記二つの実施形態のように二枚の可撓性シートから構成する以外にも一枚の可撓性シートを折り畳んで袋状に形成したりすることも可能であり、また、ガゼット状のシート片を設けることもできる。また、注出具３の取付位置や角度も限定されず、例えば、容器本体２の上方隅部に傾斜して取り付けてもよい。
【００３３】
【発明の効果】
以上のように、注出具の取付部の前後幅が従来のように略一定ではなく収容室側に向けて広がっているので、被収容物の注出の際に、取付部近傍における前後のシート片の離間状態を維持でき、両シート片間の注出通路から注出具の流通孔を介して被収容物をスムーズに注出することができる。
【００３４】
また、注出具の取付部から鍔部を延設した場合には、該鍔部で前後のシート片が押し広げられ且つ内面側から支えられて両シート片間に被収容物の注出通路が確保されるので、注出具の流通孔から被収容物をスムーズに注出することができる。
【図面の簡単な説明】
【図１】本発明の第一の実施形態における注出具付き容器を示す斜視図。
【図２】図１のＰ−Ｐ断面図。
【図３】図２のＱ部拡大図。
【図４】同実施形態における注出具を示す斜視図。
【図５】第二の実施形態における注出具付き容器を示し、（イ）は一部破断面を含む正面図、（ロ）は（イ）のＲ−Ｒ断面図。
【図６】従来の注出具付き容器を示し、（イ）は斜視図、（ロ）は（イ）におけるＳ−Ｓ部分の拡大断面図。
【符号の説明】
１…収容室、２…容器本体、３…注出具、４…シート片、９…取付部、１０…口部、１１…流通孔、１５…鍔部
【図１】
0004275240.tif 000002
【図２】
0004275240.tif 000003
【図３】
0004275240.tif 000004
【図４】
0004275240.tif 000005
【図５】
0004275240.tif 000006
【図６】
0004275240.tif 000007